(57)【要約】【課題】本体部が備えている吸気口から本体部内に吸引した空気を、前記本体部が備えている送風口から所定の方向に向けて吹き出す送風機であって、前記送風口から吹き出される風量を四段階以上の多段階に切り替え可能で、所望の風量設定を入力する操作入力部に、四段階以上の多段階での風量切り替え入力部が備えられていて、格別に微量（微弱）な風量での吹き出しも可能になっている多段階風量切替可能な送風機を提供する。【解決手段】送風口から吹き出される風量を四段階以上の多段階に切り替え可能で、所望の風量設定を入力する操作入力部に四段階以上の多段階での風量切り替え入力部が備えられている送風機。【選択図】図１
0003214381.tif 000002
【実用新案登録請求の範囲】
【請求項１】
本体部が備えている吸気口から本体部内に吸引した空気を、前記本体部が備えている送風口から所定の方向に向けて吹き出す送風機であって、
前記送風口から吹き出される風量を四段階以上の多段階に切り替え可能で、
所望の風量設定を入力する操作入力部に四段階以上の多段階での風量切り替え入力部が備えられている
送風機。
【請求項２】
前記四段階以上の多段階での風量切り替え入力部に、最大風量から最少風量までの四段階のモードでの風量を設定する風量切り替え入力部が備えられており、最少風量の前記風量モードが超微風モードである請求項１記載の送風機。
【請求項３】
前記四段階以上の多段階での風量切り替え入力部に、最大風量から最少風量までの四段階のモードでの風量を設定する風量切り替え入力部が備えられており、前記四段階の風量モードの中にそよ風モードが含まれている請求項１又は請求項２記載の送風機。
【請求項４】
前記送風機は、前記吸気口から本体部内に吸引した空気を水の気化熱を利用して冷却して前記送風口から吹き出す冷風扇である請求項１乃至請求項３のいずれかに記載の送風機。
【請求項５】
プラズマイオンとマイナスイオンとの中の少なくとも一方のイオンを発生させるイオン発生器又は、オゾン発生器が前記本体部に配備されていて、前記送風口から吹き出される空気に、プラズマイオンとマイナスイオンとの中の少なくとも一方のイオン又はオゾンが含まれている請求項１乃至請求項４のいずれかに記載の送風機。
【考案の詳細な説明】
【技術分野】
【０００１】
この考案は、送風機に関する。特に、本体部が備えている吸気口から本体部内に吸引した空気を、前記本体部が備えている送風口から所定の方向に向けて吹き出すファン、タワーファン、冷風扇などの送風機に関する。
【背景技術】
【０００２】
本体部が備えている吸気口から本体部内に吸引した空気を、前記本体部が備えている送風口から所定の方向に向けて吹き出すファン、タワーファン、冷風扇などの送風機については従来から種々の提案が行われている（特許文献１、２、３）。
【０００３】
このような送風機の中には、送風口から吹き出す風量を最大（最強）から最少（最弱）にまで多段階に切り替え可能なものが存在している。
【０００４】
このように風量を多段階に切り替えることが可能な送風機であっても、「強」、「中」、「弱」など、多くても、三段階程度の風量モード切り替えが一般的であって、四段階以上の多段階に風量モードを切り替え可能で、所望の風量設定を入力する操作入力部に、四段階以上の多段階での風量切り替え入力部が備えられていて、格別に微量（微弱）な風量での吹き出しも可能になっている多段階風量切替可能な送風機は提案されていなかった。
【先行技術文献】
【特許文献】
【０００５】
【特許文献１】特開２００２−３４９４７９号公報
【特許文献２】特開２００６−１４５１６８号公報
【特許文献３】特開２０１６−２３８５０号公報
【考案の概要】
【考案が解決しようとする課題】
【０００６】
この考案は、本体部が備えている吸気口から本体部内に吸引した空気を、前記本体部が備えている送風口から所定の方向に向けて吹き出す送風機であって、前記送風口から吹き出される風量を四段階以上の多段階に切り替え可能で、所望の風量設定を入力する操作入力部に、四段階以上の多段階での風量切り替え入力部が備えられていて、格別に微量（微弱）な風量での吹き出しも可能になっている多段階風量切替可能な送風機を提案することを目的としている。
【課題を解決するための手段】
【０００７】
［１］
本体部が備えている吸気口から本体部内に吸引した空気を、前記本体部が備えている送風口から所定の方向に向けて吹き出す送風機であって、
前記送風口から吹き出される風量を四段階以上の多段階に切り替え可能で、
所望の風量設定を入力する操作入力部に、四段階以上の多段階での風量切り替え入力部が備えられている
送風機。
【０００８】
［２］
前記四段階以上の多段階での風量切り替え入力部に、最大風量から最少風量までの四段階のモードでの風量を設定する風量切り替え入力部が備えられており、前記最少風量の前記風量モードが超微風モードである［１］の送風機。
【０００９】
［３］
前記四段階以上の多段階での風量切り替え入力部に、最大風量から最少風量までの四段階のモードでの風量を設定する風量切り替え入力部が備えられており、前記四段階の風量モードの中にそよ風モードが含まれている［１］又は［２］の送風機。
【００１０】
［４］
前記送風機は、前記吸気口から前記本体部内に吸引した空気を水の気化熱を利用して冷却して前記送風口から吹き出す冷風扇である［１］〜［３］のいずれかの送風機。
【００１１】
［５］
プラズマイオンとマイナスイオンとの中の少なくとも一方のイオンを発生させるイオン発生器又は、オゾン発生器が前記本体部に配備されていて、前記送風口から吹き出される空気に、プラズマイオンとマイナスイオンとの中の少なくとも一方のイオン又はオゾンが含まれている［１］〜［４］のいずれかの送風機。
【考案の効果】
【００１２】
この考案によれば、本体部が備えている吸気口から本体部内に吸引した空気を、前記本体部が備えている送風口から所定の方向に向けて吹き出す送風機であって、前記送風口から吹き出される風量を四段階以上の多段階に切り替え可能で、所望の風量設定を入力する操作入力部に、四段階以上の多段階での風量切り替え入力部が備えられていて、格別に微量（微弱）な風量での吹き出しも可能になっている多段階風量切替可能な送風機を提供することができる。
【００１３】
そこで、そよ風モードや、超微風モードといった従来の送風機にはなかった微弱・微小な風量モードを含む、多段階の風量モードでの空気吹き出しが可能な送風機を提供することができる。
【図面の簡単な説明】
【００１４】
【図１】この考案の一実施形態に係る送風機を送風口側から見た概略図。
【図２】図１図示の送風機を吸気口側から見た概略図。
【図３】この考案の他の施形態に係る送風機を送風口側から見た概略図。
【図４】図３図示の送風機を吸気口側から見た概略図。
【図５】この考案の一実施形態に係る送風機が備える、所望の風量設定を入力する操作入力部の構成の一例を説明する概略図。
【考案を実施するための形態】
【００１５】
（タワーファンの実施形態）
図１、図２を参照して、縦型の送風機であるタワーファンの実施形態について説明する。
【００１６】
タワーファン１は、本体部２の上下方向の長さ（大きさ）に比較して、本体部２の下部に備えられていて水平な床面などに安定的に配置される台座３の面積（大きさ）が小さなもので、縦長で、スリムな、すっきりした外観、形態を有するものである。台座３を設置できる床面積があれば設置して使用することも、収納することも、あまり場所をとらずに行うことができる。
【００１７】
図１、図２図示の実施形態のタワーファン１は、本体部２の背面側に吸気口５、本体部２の正面側に送風口４を備えている。吸気口５から本体部２内に吸引した空気を送風口４から所定の方向に向けて吹き出すものでえある。
【００１８】
送風口４を備えている縦長の空気吹き出しユニット部が、中空で矩形の枠体からなる本体部２内に、図１中で、上下方向に伸びる回転中心軸を中心にして本体部２に対して回動自在に配置されているタワーファン１にすることができる。この形態では、回動モード（いわゆる、首振りモード）にして、送風口４を備えている縦長の空気吹き出しユニット部を、中空で矩形の枠体からなる本体部２の上下方向に伸びる回転中心軸を中心にして本体部２に対して自動式で回動させ、送風口４から吹き出される空気を、タワーファン１が設置・使用されている室内の隅々にまでいきわたらせることができる。
【００１９】
また、図示していないが、例えば、送風口４に上下ルーバー、左右ルーバーを配置し、手動で、あるいは、自動で、送風口４から吹き出される風が向かう上下方向、左右方向を変更、調整するようにすることもできる。
【００２０】
背面部の上部側に凹部からなる持ち手部６が形成されており、持ち手部６を手で持って、タワーファン１を任意の場所に移動させることができる。
【００２１】
図示していないが、この実施形態では、本体部２の内部に、プラズマイオンとマイナスイオンとの中の少なくとも一方のイオンを発生させるイオン発生器が配備されている。イオン発生器を作動させることで、送風口４から吹き出される空気に、プラズマイオンとマイナスイオンとの中の少なくとも一方のイオンを含ませることができる。このようにすれば、送風口４から吹き出される空気にプラズマイオンとマイナスイオンとの中の少なくとも一方のイオンが含まれていることから、タワーファン１を室内などで使用している人は、プラズマイオン、マイナスイオンの効果によるリラックス効果などを享受することができる。
【００２２】
また、イオン発生器に替えて、本体部２の内部に、オゾン発生器を設置する構成にすることもできる。タワーファン１が設置されている室内の空気を吸気口５から本体部２内に吸引し、送風口４から所定の方向に向けて吹き出す際に、オゾン発生器を作動させることで、空気にオゾンを含ませることができ、室内などの空気中に含まれる浮遊細菌類に対して殺菌作用を発揮することができる。
【００２３】
この実施形態のタワーファン１は、送風口４から吹き出される風量を四段階以上の多段階に切り替え可能になっている。
【００２４】
図示の実施形態では、本体部２の上部に配備されている操作入力部８が図５に概略を表す構成になっている。操作入力部８は、図５図示の実施形態では、電源ＯＮ／ＯＦＦ入力部９、電源ランプ１０、風量切り替え入力部１１、首振り入力部１２、プラズマイオン入力部１３、タイマー入力部１４、リズム入力部１５を備えている。いずれの入力部も押しボタン形式にすることができる。
【００２５】
図５図示の実施形態では、所望の風量設定を入力する操作入力部になっている風量切り替え入力部１１が、４段階の風量切り替え入力部を備えている。送風口４から吹き出される風量が最も大きい「強」モード、「強」モードより少し風量が弱くなる「中」モード、「中」モードより少し風量が弱くなる「そよ風」モード、「そよ風」モードよりも更に風量が弱くなる「超微風」モードという、４段階の風量モードである。これに替えて、風量切り替え入力部１１を構成するボタンが一つ存在するだけで、そのボタンを一回押すと「強」モード、二回連続して押すと「中」モード、三回連続して押すと「そよ風」モード、四回連続して押すと「超微風」モードという４つのモードが切り替え可能になっている４段階の風量切り替え入力部にすることもできる。
【００２６】
このようにして、送風口４から吹き出される風量を四段階以上の多段階に切り替え可能で、所望の風量設定を入力する操作入力部に、四段階以上の多段階での風量切り替え入力部が備えられている構成になっている。
【００２７】
電源ＯＮ／ＯＦＦ入力部９でＯＮ、ＯＦＦ入力すると、ＯＮ時には電源ランプ１０が点灯し、ＯＦＦ時には電源ランプ１０は消えている。
【００２８】
首振り入力部１２での入力切り替えにより上述した首振り動作の開始、停止が制御される。
【００２９】
プラズマイオン入力部１３での入力切り替えにより上述したイオン発生器（不図示）の作動、停止が制御される。オゾン発生器（不図示）が本体部２の内部に配備されていて、上述したように作動、停止が行われる場合には、それを制御するオゾン発生入力部が配備されることになる。
【００３０】
タイマー入力部１４での入力により、タイマー設定した時間まで、例えば、タイマー設定時から１時間、２時間、等のタイマー設定時間、タイマー設定時から連続運転させることができる。
【００３１】
リズム入力部１５での入力により、例えば、「強」モードでの送風を行っている際に不規則的に「強」モードでの送風と停止状態を繰り返す、「中」モードでの送風を行っている際に不規則的に「強」よりは弱い「中」モードでの送風と停止状態を繰り返す、「そよ風」モードでの送風を行っている際にあらかじめ定められている時間にわたって「中」よりは弱い「そよ風」モードでの送風と停止状態を繰り返す、「超微風」モードでの送風を行っている際にあらかじめ定められている時間にわたって「そよ風」より更に弱い「超微風」モードでの送風と停止状態を繰り返す、等の、自動的に送風状態と停止状態とが繰り返される送風が行われるようになる。
【００３２】
この実施形態では、本体部２の背面側の上部で、持ち手部６の下側にリモコン収納部７が形成されている。ここに収納されているリモコンは、上述した操作入力部８が備えている電源ＯＮ／ＯＦＦ入力部９、等を備えており、このリモコンを用いて、タワーファン１から離れた位置で、上述した制御を行うようにすることもできる。
【００３３】
この実施形態では、操作入力部８が備えている入力部、等として上述した構成を説明したが、電源ＯＮ／ＯＦＦ入力部９以外では、上述した風量切り替え入力部１１が必須であって、その他の入力部、等についてはいくつかを省略したり、上記では説明していない、従来の送風機に採用されている機能を発揮させるための従来公知の入力部が備えられている構成にすることもできる。
【００３４】
上述した実施形態では、操作入力部８が備えている風量切り替え入力部１１は、最強（最大）の風量である「強」から、最弱（最少）の風量である「超微風」まで４段階の多段階切り替え可能なものであった。
【００３５】
これに替えて、最強（最大）の風量である「強」と、最弱（最少）の風量である「超微風」との間の風量段階を更に細かく区分して、５段階、６段階、等の多段階に切り替え可能なタワーファンにすることもできる。
【００３６】
いずれの実施形態でも、従来の送風機では実現できていなかった、４段階以上の多段階での風量の切り替えを行うことができ、更に、「超微風」モード、等の微弱な風量での送風や、「そよ風」モードと「超微風」モードのように、微弱な風量段階において、多段階に風量を微調整できる送風機を提供することができる。
【００３７】
（冷風扇の実施形態）
図３、図４を参照して、冷風扇の実施形態について説明する。
【００３８】
冷風扇は、吸気口５から本体部２内に吸引した空気を送風口４から所定の方向に向けて吹き出すにあたり、本体部２内に吸気口５を介して吸引した空気を水の気化熱を利用して冷却し、冷却した空気を送風口４から吹き出すものである。
【００３９】
図３、図４図示の冷風扇２１は、本体部２が備えている吸気口５から本体部２内に吸引した空気を、本体部２が備えている送風口４から所定の方向に向けて吹き出すものであって、送風口４ら吹き出される風量を四段階以上の多段階に切り替え可能で、所望の風量設定を入力する操作入力部８に四段階以上の風量切り替え入力部が備えられている送風機である点において、図１、図２を用いて説明したタワーファン１と共通している。
【００４０】
そこで、図１、図２を用いて説明したタワーファン１の構成と共通する部分には図１、２で使用した符号と共通する符号を用いてその説明を省略し、また、図１、図２を用いて説明したタワーファン１が備えていた機能と共通する機能についての説明も省略し、冷風扇２１に特有の構成、機能と、図３、図４図示の冷風扇２１に備えられていて、図１、図２を用いて説明したタワーファン１には備えられていなかった構成、機能を中心に、以下、説明する。
【００４１】
図３、４図示の冷風扇２１は、立方体形状の本体部２の下部側にタンク２３を脱着可能になっている。タンク２３に水を入れて、立方体形状の本体部２の下部側に装着する。装着されたタンク２３の背面側は、本体部２の背面側のタンクストッパー２４で支持される。タンク２３内の水の量は正面側のタンク水位表示２５で確認できる。
【００４２】
立方体形状の本体部２内には矩形のエアーフィルター２７と、矩形の流水フィルター２８とが配備されている。
【００４３】
吸気口５の内側にエアーフィルター２７が配備され、エアーフィルター２７の更に内側に流水フィルター２８が配備されている。
【００４４】
本体部２内には不図示の吸い上げポンプが内蔵されており、吸い上げポンプによってタンク２３内の水が吸い上げられ、流水フィルター２８へ供給される。
【００４５】
吸気口５から本体部２内に吸引された空気は、エアーフィルター２７を通過した後、流水フィルター２８を通過する際に、水の気化熱によって冷却され、冷却された空気が送風口４から吹き出される。
【００４６】
立方体形状の本体部２の底部の四隅にはキャスター２２が配備されている。水を収容しているタンク２３が本体部２の下部側に装着されている状態では冷風扇２１の重量が大きくなるが、キャスター２２が配備されていることから、キャスター２２を利用して床面上で冷風扇２１を移動させることができる。
【００４７】
この実施形態の冷風扇２１は、送風口４の前側に、上下ルーバー２９、左右ルーバー３０が配備されている。上下ルーバー２９は手動で操作し、送風口４から吹き出される風が向かう上下方向の角度を調整することができる。左右ルーバー３０は自動で操作可能になっていて、送風口４から吹き出される風が向かう左右方向を変更、調整できるようになっている。
【００４８】
この実施形態の冷風扇２１も、本体部２の上部に配備されている操作入力部８が図５に概略を表す構成になっている。そこでで、図５を参照して上述のタワーファン１の実施形態で説明したのと同様に、送風口４から吹き出される風量を四段階以上の多段階に切り替え可能になっている。
【００４９】
これにより、この実施形態でも、従来の送風機では実現できていなかった、４段階以上の多段階での風量の切り替えを行うことができ、更に、「超微風」モード、等の微弱な風量での送風や、「そよ風」モードと「超微風」モードのように、微弱な風量段階において、多段階に風量を微調整できる送風機を提供することができる。
【００５０】
なお、図１、図２図示のタワーファンでは、操作入力部８が首振り入力部１２を備えていて、入力により、首振り動作の開始、停止が制御されていたが、この実施形態では、首振り入力部１２を、左右ルーバー入力部に替えることで、この入力により、左右ルーバー３０を自動的に左右方向（例えば、左右約８０度の範囲）に向かわせて、送風口４から吹き出される風が向かう左右方向を変更、調整するようにできる。
【００５１】
以上、添付図面を参照して本考案の好ましい実施形態を説明したが、本考案はかかる実施形態に限定されるものではなく、実用新案登録請求の範囲の記載から把握される技術的範囲において種々に変更可能である。
【符号の説明】
【００５２】
１  タワーファン
２  本体部
３  台座
４  送風口
５  吸気口
６  持ち手部
７  リモコン収納部
８  操作入力部
９  電源ＯＮ／ＯＦＦ入力部
１０  電源ランプ
１１  風量切り替え入力部
１２  首振り入力部
１３  タイマー入力部
１４  プラズマイオン入力部
１５  リズム入力部
２１  冷風扇
２２  キャスター
２３  タンク
２４  タンクストッパー
２５  タンク水位表示
２７  エアーフィルター
２８  流水フィルター
２９  上下ルーバー
３０  左右ルーバー
３１  電源コード
３２  電源プラグ
【図１】
0003214381.tif 000003
【図２】
0003214381.tif 000004
【図３】
0003214381.tif 000005
【図４】
0003214381.tif 000006
【図５】
0003214381.tif 000007